(57)【要約】【課題】  ＳＥＭ（サーチエンジン・マーケティング）の手法と異なる、マスメディア広告からＷｅｂサイト誘導型のＲＳＳフィードを活用したマーケティング手法を考案し、その広告の測定をリアルタイムに行う方法と装置を提供する。【解決手段】  ＲＳＳフィード配信サイトを示す識別コードを構成要素に設定したアドレス或いはＵＲＬを読込みアクセスするブラウザ端末装置（ブラウザテレビ受信装置を含む）或いは携帯電話装置と、ＷｅｂサイトのＲＳＳフィードに該識別コードを設定し配信する情報配信サーバ装置と、同アクセスにて該ＵＲＬに設定された該識別コードを検索キーに設定し、該Ｗｅｂサイトをサーチし、取得した該ＲＳＳフィードをブラウザに表示すると共に、該ＲＳＳフィードのＵＲＬ及び表示件数を同アクセスした会員のデータベースに記録し、該識別コード単位での該ＲＳＳフィードの表示件数をリアルタイムに測定する装置とで構成される。【選択図】  図１
2007115217.tif 000002
【特許請求の範囲】
【請求項１】
ＲＳＳフィード配信サイトを示す任意の識別コード（キャンペーンＩＤと称す）を構成要素に設定したアドレス或いはＵＲＬを、ＱＲコードに記憶しＱＲコードリーダ装置にて読込みアクセスする携帯電話装置又は、
該アドレス或いはＵＲＬをホームページのバナーに記憶し、ブラウザにて読込みアクセスするブラウザ端末装置又は、
該アドレス或いはＵＲＬを放送信号中に或いはその受信画像に埋め込み、ブラウザにて読込みアクセスするブラウザテレビ受信装置と、
ＷｅｂサイトのＲＳＳフィードに該キャンペーンＩＤを設定し配信する情報配信サーバ装置との間にて、
同アクセスでの該アドレス或いはＵＲＬに設定された該キャンペーンＩＤを検索キーに設定し、該Ｗｅｂサイトをサーチし、取得した該ＲＳＳフィードをブラウザに表示すると共に、該ＲＳＳフィードのＵＲＬ及び表示件数を同アクセスした会員のデータベースに記録し、
該キャンペーンＩＤ単位での該ＲＳＳフィードの表示件数をリアルタイムに測定するプログラムを記憶する手段、
表示手段
前記プログラムによる制御手段
を備えたサーバ装置とで構成されることを特徴とする装置。
【請求項２】
ブラウザ端末装置（ブラウザテレビ受信装置を含む）及び携帯電話装置は、ＲＳＳフィード配信サイトを示す任意の識別コード（キャンペーンＩＤと称す）を構成要素（クエリ文字列）に設定したアドレス或いはＵＲＬを読込み、中継ポータルサーバ装置の中継ポータルサイトにアクセスさせるステップ、
前記中継ポータルサイトでは、同アクセスした会員の会員ＩＤを採番し、該会員ＩＤ単位に会員アクセス専用の中継ポータル（以下、Ｍｙポータルと称す）を作成すると共に、同アクセスの該ＵＲＬに設定された該キャンペーンＩＤを判別し、該キャンペーンＩＤと該会員ＩＤを前記Ｍｙポータルのテーブルに記憶するステップ、
情報配信サーバ装置では、ＲＳＳフィードを生成し、該ＲＳＳフィードヘ該キャンペーンＩＤ及び該会員ＩＤを設定するステップ、
前記ブラウザ端末装置（ブラウザテレビ受信装置を含む）及び携帯電話装置から該ＲＳＳフィードの取得要求を受け、前記中継ポータルサーバ装置内のＲＳＳリーダ装置では、前記Ｍｙポータルのテーブルから該キャンペーンＩＤ及び該会員ＩＤを取得し検索キーに設定して、前記情報配信サーバ装置内の該ＲＳＳフィードをサーチするステップ、
前記ＲＳＳリーダ装置では、取得した該ＲＳＳフィード内の該キャンペーンＩＤ及び該会員ＩＤが前記Ｍｙポータルのテーブルに記憶された該キャンペーンＩＤ及び該会員ＩＤと一致するかを判定し、一致していれば、該ＲＳＳフィードを前記ブラウザ端末装置（ブラウザテレビ受信装置を含む）及び携帯電話装置のブラウザにて表示すると共に、該ＲＳＳフィードを保管し、該ＲＳＳフィードのＵＲＬ及び表示件数を前記Ｍｙポータルのテーブルに記憶するステップ、
前記中継ポータルサーバ装置では、該キャンペーンＩＤ単位に、該会員の個人属性データ（地域、年齢、性別）及び日付別に前記Ｍｙポータルのテーブルに記憶された該ＲＳＳフィードの表示件数を集計するステップ、
とを含むことを特徴とする方法。
【請求項３】
ブラウザ端末装置（ブラウザテレビ受信装置を含む）及び携帯電話装置は、ＲＳＳフィード配信サイトを示す任意の識別コード（キャンペーンＩＤと称す）を構成要素（クエリ文字列）に設定したアドレス或いはＵＲＬを読込み、中継ポータルサーバ装置の中継ポータルサイトにアクセスさせるステップ、
前記中継ポータルサイトでは、同アクセスした会員の会員ＩＤを採番し、該会員ＩＤ単位に会員アクセス専用の中継ポータル（以下、Ｍｙポータルと称す）を作成すると共に、同アクセスの該ＵＲＬに設定された該キャンペーンＩＤを判別し、該キャンペーンＩＤと該会員ＩＤを前記Ｍｙポータルのテーブルに記憶するステップ、
情報配信サーバ装置では、ＲＳＳフィードを生成し、該ＲＳＳフィードへ該キャンペーンＩＤ及び該会員ＩＤを設定するステップ、
前記ブラウザ端末装置（ブラウザテレビ受信装置を含む）及び携帯電話装置から該ＲＳＳフィードの取得要求を受け、前記中継ポータルサーバ装置内のＲＳＳリーダ装置では、前記Ｍｙポータルのテーブルから該キャンペーンＩＤ及び該会員ＩＤを取得し検索キーに設定して、前記情報配信サーバ装置内の該ＲＳＳフィードをサーチするステップ、
前記ＲＳＳリーダ装置では、取得した該ＲＳＳフィード内の該キャンペーンＩＤ及び該会員ＩＤが前記Ｍｙポータルのテーブルに記憶された該キャンペーンＩＤ及び該会員ＩＤと一致するかを判定し、一致していれば、該ＲＳＳフィードを前記ブラウザ端末装置（ブラウザテレビ受信装置を含む）及び携帯電話装置のブラウザにて表示すると共に、該ＲＳＳフィードを保管し、該ＲＳＳフィードのＵＲＬ及び表示件数を前記Ｍｙポータルのテーブルに記憶するステップ、
該会員が該ＲＳＳフィードのタグ情報を任意のページに組込むように要求した場合、  前記情報配信サーバ装置では該ＲＳＳフィード内の要素のテキスト、画像、動画タグを任意の該ページに組込み、該ページをインターネット上に公開し、該ページのＵＲＬを前記中継ポータルサーバ装置へ送信するステップ、
前記中継ポータルサーバ装置では任意の該ページの該ＵＲＬを前記Ｍｙポータルのテーブルに記憶するステップ、
前記中継ポータルサーバ装置では、該キャンペーンＩＤ単位に、該会員の個人属性データ（地域、年齢、性別）及び日付別に前記Ｍｙポータルのテーブルに記憶された該ＲＳＳフィードの表示件数を集計するステップ、
とを含むことを特徴とする方法。
【発明の詳細な説明】
【発明の詳細な説明】
【技術分野】
【０００１】  本発明では、広告媒体コード（テレビ又は、雑誌、カタログ、バナーの広告媒体を利用した広告キャンペーンの識別コードを示すと共に、ＲＳＳフィード配信サイトを一意的に示す任意の識別コードで、以下、キャンペーンＩＤと称す）をアドレス或いはＵＲＬ（Ｕｎｉｆｏｒｍ  Ｒｅｓｏｕｒｃｅ  Ｌｏｃａｔｏｒ）の構成要素（クエリ文字列）に設定する。前記アドレス或いはＵＲＬを記憶したＱＲコード（二次元バーコード）、又はホームページのバナー（画像コンテンツをＷｅｂページに貼り付けＵＲＬで指定されるサイトにリンクさせる方法）、を読込むブラウザ端末装置（ブラウザテレビ受信装置を含む）或いは携帯電話装置と、同アクセスでの当該のＵＲＬ内の同キャンペーンＩＤをもとに情報配信サーバ装置上のＷｅｂサイトから同キャンペーンＩＤを含むＲＳＳフィードをサーチして取得する中継ポータルサーバ装置において、当該のＲＳＳフィードを会員の個々のポータルサイトに蓄積し、キャンペーンＩＤ単位でのＲＳＳフィードの個々のポータルへの配布状況とその表示件数をリアルタイムで測定する動作方法及び装置に関する技術である。
前記ブラウザ端末装置ではブラウザ組込のテレビ放送受信機（ブラウザテレビ受信装置を示す）を含み、放送信号中に或いはその受信画像に埋め込まれた前記アドレス或いはＵＲＬを読み込む。【０００２】  ここで特徴とする、ＲＳＳ（バージョン１．０のＲＳＳはＲＤＦ  Ｓｉｔｅ  Ｓｕｍｍａｒｙの略）とはＷｅｂページ（ＢＬＯＧを示す）の見出しや更新日時、画像などのメタデータを構造化してタグ（文章構造のマーク）にて記述するためのＸＭＬベースのＲＤＦ（Ｒｅｓｏｕｒｃｅ  Ｄｅｓｃｒｉｐｔｉｏｎ  Ｆｒａｍｅｗｏｒｋの略）に基づくフォーマット（文章形式）のことで、ＲＳＳフィードとはＲＳＳのフォーマットで記載された文章ファイルまたはその内容意味し、本発明においてはインターネット上のホームページにて商品の推奨販売をする会員向けの商品リンク（キャンペーンサイトや商品販売サイトへのリンク情報を含む販売促進の「テンプレート」として用意された商品紹介のタグ情報で、テキスト、画像、テレビコマーシャル等の動画のバナー等を意味する）の内容をＲＳＳフィードとする。
【背景技術】
【０００３】  サーチエンジンでＷｅｂサイトを容易に見つけやすくするためのマーケティング手法としてＳＥＭ（サーチエンジン・マーケティング）があった、その方法は検索エンジン最適化（ＳＥＯ）とキーワード連動広告であった。
一方、マスメディア広告の媒体（テレビ，雑誌、新聞、カタログ）にサイトのＵＲＬを記憶させたＱＲコード（二次元バーコード）を張り、キャンペーンサイトの告知を行う手法はあったが、キャンペーンの波及効果を測定するには、閲覧者にサイトへのアクセスを誘導し、メールアドレス等の個人情報を取得し、別途メールマガジンにてキャンペーンのアンケート調査を行う方法しかなく、アンケートを収集する期間とコストの問題及び個人情報保護法の問題が生じていた。
【発明が解決しようとする課題】
【０００４】  従来の販促コミュニティー向けメールマガジンでのキャンペーンの告知方法では広告主による一方向の媒体に過ぎず、その媒体の広告効果はメール内に記載されたサイトＵＲＬへの消費者によるクリック率を測定する方法しかなかった。しかもインターネット上に限定され、マスメディア広告とのメディアミックスによる広告効果を期待することは皆無であった。またメールマガジン特有の問題としてスパンメール等の発生が多発しており消費者離れをしている。さらには平成１７年４月１日に個人情報保護法の施行にもとづき、メールマガジンにおけるメールアドレス等の情報漏洩は社会的な問題となり、キャンペーン通知において従来のようなメールマガジンの配信の仕組みを避ける企業が多発していた。こうした社会的な背景から、消費者側から必要なキャンペーン通知だけを自動的に取得する方法が要請されていた。
【０００５】  本発明の課題として、従来のＳＥＭ（サーチエンジン・マーケティング）の手法と異なる、マスメディア広告によるＷｅｂサイト誘導型のＲＳＳフィードを活用したマーケティング手法を考案し、その広告の測定をリアルタイムに行う方法と装置を提供するものである。
【０００６】  本発明にて解決しようとする方法での課題は、メディア広告にて配布された、
Ｉ  ＱＲコードに埋め込まれたＵＲＬ、又は
ＩＩ  ホームページのバナーに設定されたＵＲＬ、又は
ＩＩＩ  放送信号中に或いはその受信画像に埋め込まれたＵＲＬ、
の構成要素（クエリ文字列）に設定したキャンペーンＩＤを、ユーザがアクセスしたＵＲＬから読み取り、Ｍｙポータル（Ｗｅｂサイトに訪れているユーザに合わせて表示、記録、保管される動的なポータルを示す）のテーブルに記憶しておき、前もってＲＳＳリーダ装置（定期的に更新された又は新たなＲＳＳフィードを求めてＷｅｂサイトをサーチして、目的のＲＳＳフィードを取得する）に、そのキャンペーンＩＤをサブドメインに設定した情報配信サーバ装置のＵＲＬを知らしめておく。ＲＳＳリーダ装置は定期的に企業が発信するＲＳＳフィードをサーチして当該のキャンペーンＩＤを含む新たなＲＳＳフィードが見つかれば取得する。
【０００７】  こうしてＲＳＳフィード配信サイトのＵＲＬのサブドメイン名と部分的に一致するＵＲＬをＲＳＳリーダ装置に通知しておけば、常にその企業の発信するすべてのＲＳＳフィードを読むことができる。しかし企業では多くのキャンペーンを同時に平行して展開するので、当該のキャンペーンに関するＲＳＳフィードのみを取得する仕組みが必要となる。そこでＲＳＳフィードにキャンペーンＩＤを設定し配信すると共に、中継ポータルサーバ装置のＲＳＳリーダ装置では、テーブルに記憶したキャンペーンＩＤとＲＳＳフィードのキャンペーンＩＤを比較判定し、合致すればＲＳＳフィードをブラウザ端末装置（ブラウザテレビ受信装置を含む）及び携帯電話装置のブラウザにて表示すると共に、ＲＳＳフィードを保管し、当該のＲＳＳフィードのＵＲＬ及び表示件数をＭｙポータルのテーブルに記憶している。
【０００８】  また、本発明の方法では販促コミュニティー（会員）のＭｙポータルに取込んだＲＳＳフィード内のタグ情報（会員向けの商品推奨のバナー）を任意のページ（ＢＬＯＧを意味する）に貼るに際して、情報配信サーバ装置ではＲＳＳフィード内の要素のテキスト、画像、動画タグを任意のページ（ＢＬＯＧ）に静的（手動にてペーストして）に、又は動的（自動的にダウンロードして）に組込み、中継ポータルサーバ装置では更新されたページのＵＲＬをＭｙポータルのテーブルに記憶する。当該のページ（ＢＬＯＧ）は消費者にインターネット上でＷｅｂ公開され、消費者（ＢＬＯＧ閲覧者）によるキャンペーン広告に対する口コミや商品に対するレビューが投稿される。こうしてキャンペーン広告に連動したＲＳＳフィードに対するくちコミでの波及効果を定性的に把握することが可能になる。
【０００９】  ＲＳＳフィードの波及効果を測定するにあたり、キャンペーンＩＤ単位での会員の個人属性データ（地域、年齢、性別等）及び日付別で、販促コミュニティーの各Ｍｙポータルのテーブルに記憶されたＲＳＳフィードのＵＲＬごとの、ＲＳＳフィードの消費者及び会員による表示（閲覧）件数を、リアルタイムに集計することで広告測定のサービスの提供ができる動作方法及び装置を提供することである。
【００１０】  本発明の具体的態様においては、キャンペーンＩＤ以外にさらに会員ＩＤ（ユーザの任意の識別コード）をＲＳＳフィードの要素から確認し、ＲＳＳフィードを取り込むことにより、特定の個人に向けてのＯｎｅＴｏＯｎｅでのＲＳＳフィードを発信することも出来るようになる。
【課題を解決するための手段】
【００１１】  本発明は、上記課題に鑑みなされたものである。
【００１２】  第一の発明は、ＲＳＳフィード配信サイトを示す任意の識別コード（キャンペーンＩＤと称す）を構成要素に設定したアドレス或いはＵＲＬを、ＱＲコードに記憶しＱＲコードリーダ装置にて読込みアクセスする携帯電話装置又は、
該アドレス或いはＵＲＬをホームページのバナーに記憶し、ブラウザにて読込みアクセスするブラウザ端末装置又は、
該アドレス或いはＵＲＬを放送信号中に或いはその受信画像に埋め込み、ブラウザにて読込みアクセスするブラウザテレビ受信装置と、
【００１３】  ＷｅｂサイトのＲＳＳフィードに該キャンペーンＩＤを設定し配信する情報配信サーバ装置との間にて、
【００１４】  同アクセスでの該アドレス或いはＵＲＬに設定された該キャンペーンＩＤを検索キーに設定し、該Ｗｅｂサイトをサーチし、取得した該ＲＳＳフィードをブラウザに表示すると共に、該ＲＳＳフィードのＵＲＬ及び表示件数を同アクセスした会員のデータベースに記録し、
該キャンペーンＩＤ単位での該ＲＳＳフィードの表示件数をリアルタイムに測定するプログラムを記憶する手段、
表示手段
前記プログラムによる制御手段
を備えたサーバ装置とで構成されること特徴とする装置。
【００１５】  第二の発明は、ブラウザ端末装置（ブラウザテレビ受信装置を含む）及び携帯電話装置は、ＲＳＳフィード配信サイトを示す任意の識別コード（キャンペーンＩＤと称す）を構成要素（クエリ文字列）に設定したアドレス或いはＵＲＬを読込み、中継ポータルサーバ装置の中継ポータルサイトにアクセスさせるステップ、
【００１６】  前記中継ポータルサイトでは、同アクセスした会員の会員ＩＤを採番し、該会員ＩＤ単位に会員アクセス専用の中継ポータル（以下、Ｍｙポータルと称す）を作成すると共に、同アクセスの該ＵＲＬに設定された該キャンペーンＩＤを判別し、該キャンペーンＩＤと該会員ＩＤを前記Ｍｙポータルのテーブルに記憶するステップ、
【００１７】  情報配信サーバ装置では、ＲＳＳフィードを生成し、該ＲＳＳフィードへ該キャンペーンＩＤ及び該会員ＩＤを設定するステップ、
【００１８】  前記ブラウザ端末装置（ブラウザテレビ受信装置を含む）及び携帯電話装置から該ＲＳＳフィードの取得要求を受け、前記中継ポータルサーバ装置内のＲＳＳリーダ装置では、前記Ｍｙポータルのテーブルから該キャンペーンＩＤ及び該会員ＩＤを取得し検索キーに設定して、前記情報配信サーバ装置内の該ＲＳＳフィードをサーチするステップ、
【００１９】  前記ＲＳＳリーダ装置では、取得した該ＲＳＳフィード内の該キャンペーンＩＤ及び該会員ＩＤが前記Ｍｙポータルのテーブルに記憶された該キャンペーンＩＤ及び該会員ＩＤと一致するかを判定し、一致していれば、該ＲＳＳフィードを前記ブラウザ端末装置（ブラウザテレビ受信装置を含む）及び携帯電話装置のブラウザにて表示すると共に、該ＲＳＳフィードを保管し、該ＲＳＳフィードのＵＲＬ及び表示件数を前記Ｍｙポータルのテーブルに記憶するステップ、
【００２０】  前記中継ポータルサーバ装置では、該キャンペーンＩＤ単位に、該会員の個人属性データ（地域、年齢、性別）及び日付別に前記Ｍｙポータルのテーブルに記憶された該ＲＳＳフィードの表示件数を集計するステップ、
とを含むことを特徴とする方法。
【００２１】  第三の発明は、ブラウザ端末装置（ブラウザテレビ受信装置を含む）及び携帯電話装置は、ＲＳＳフィード配信サイトを示す任意の識別コード（キャンペーンＩＤと称す）を構成要素（クエリ文字列）に設定したアドレス或いはＵＲＬを読込み、中継ポータルサーバ装置の中継ポータルサイトにアクセスさせるステップ、
【００２２】  前記中継ポータルサイトでは、同アクセスした会員の会員ＩＤを採番し、該会員ＩＤ単位に会員アクセス専用の中継ポータル（以下、Ｍｙポータルと称す）を作成すると共に、同アクセスの該ＵＲＬに設定された該キャンペーンＩＤを判別し、該キャンペーンＩＤと該会員ＩＤを前記Ｍｙポータルのテーブルに記憶するステップ、
【００２３】  情報配信サーバ装置では、ＲＳＳフィードを生成し、該ＲＳＳフィードへ該キャンペーンＩＤ及び該会員ＩＤを設定するステップ、
【００２４】  前記ブラウザ端末装置（ブラウザテレビ受信装置を含む）及び携帯電話装置から該ＲＳＳフィードの取得要求を受け、前記中継ポータルサーバ装置内のＲＳＳリーダ装置では、前記Ｍｙポータルのテーブルから該キャンペーンＩＤ及び該会員ＩＤを取得し検索キーに設定して、前記情報配信サーバ装置内の該ＲＳＳフィードをサーチするステップ、
【００２５】  前記ＲＳＳリーダ装置では、取得した該ＲＳＳフィード内の該キャンペーンＩＤ及び該会員ＩＤが前記Ｍｙポータルのテーブルに記憶された該キャンペーンＩＤ及び該会員ＩＤと一致するかを判定し、一致していれば、該ＲＳＳフィードを前記ブラウザ端末装置（ブラウザテレビ受信装置を含む）及び携帯電話装置のブラウザにて表示すると共に、該ＲＳＳフィードを保管し、該ＲＳＳフィードのＵＲＬ及び表示件数を前記Ｍｙポータルのテーブルに記憶するステップ、
【００２６】  該会員が該ＲＳＳフィードのタグ情報を任意のページに組込むように要求した場合、
【００２７】  前記情報配信サーバ装置では該ＲＳＳフィード内の要素のテキスト、画像、動画タグを任意の該ページに組込み、該ページをインターネット上に公開し、該ページのＵＲＬを前記中継ポータルサーバ装置へ送信するステップ、
【００２８】  前記中継ポータルサーバ装置では任意の該ページの該ＵＲＬを前記Ｍｙポータルのテーブルに記憶するステップ、
【００２９】  前記中継ポータルサーバ装置では、該キャンペーンＩＤ単位に、該会員の個人属性データ（地域、年齢、性別）及び日付別に前記Ｍｙポータルのテーブルに記憶された該ＲＳＳフィードの表示件数を集計するステップ、
とを含むことを特徴とする方法。
【作用及び効果】
【００３０】  本発明とは、ＲＳＳフィード配信サイトを示す任意の識別コード（キャンペーンＩＤと称す）を構成要素（クエリ文字列）に設定したアドレス或いはＵＲＬを、ＱＲコードに記憶しＱＲコードリーダ装置にて読込んだ携帯電話装置又は、
同アドレス或いはＵＲＬをホームページのバナーに記憶し、ブラウザにて読込んだブラウザ端末装置又は、
同アドレス或いはＵＲＬを放送信号中に或いはその受信画像に埋め込み、ブラウザにて読込んだブラウザテレビ受信装置は、
中継ポータルサーバ装置内の中継ポータルサイトへアクセスする。
ＲＳＳフィードを配信する情報配信サーバ装置では該キャンペーンＩＤを設定したＲＳＳフィード（会員向けの商品推奨バナー）を販促コミュニティー向けに発信する。
中継ポータルサーバ装置の中継ポータルサイトでは、同アクセスされた当該のＵＲＬから判別される当該キャンペーンＩＤをもって、照合される当該ＲＳＳフィードを求めて情報配信サーバ装置をサーチし、取得した当該ＲＳＳフィードをブラウザに表示すると共に、会員のポータルに当該ＲＳＳフィードのＵＲＬ及び表示件数を記録する。キャンペーン単位での会員属性別のＲＳＳフィードの広告の波及効果測定をリアルタイムに行う機能を備えたことを特徴とする方式と装置。
【００３１】  従来のＴＶ、ラジオ視聴率とは異なるオンラインメディア（インターネットによるメディア）ならではのＯｎｅｔｏＯｎｅのリアルタイムな広告測定を行うことが出来る。本発明の具現化において、マスメディアでの放送とインターネットサービスの融合点の事案を示唆する画期的なものとなる。
本発明の具体的な効果としては次のような効果が得られる。
【００３２】  １）従来のＳＥＭ（サーチエンジン・マーケティング）の手法と異なる、マスメディア広告によるＷｅｂサイト誘導型のＲＳＳフィードを活用したマーケティング手法を提供できる。また第三の発明ではキャンペーン広告に連動してＲＳＳフィードを取込んだページに対するくちコミでの波及効果を定性的に把握することも可能になる。
【００３３】  ２）ＲＳＳフィード配信サイトを示す識別コード（キャンペーンＩＤ）を構成要素（クエリ文字列）に設定しＵＲＬを記憶した、ＱＲコードやホームページのバナー、放送受信画像を、広告媒体に載せて配布、連動して配信されるＲＳＳフィードの波及効果をリアルタイムに測定することが出来る。
【００３４】  ３）個人情報（メールアドレス）取得を前提としたメールマガジンによる商用Ｗｅｂサイトへの誘導と異なり、消費者側では必要なキャンペーン通知だけを選別し、そのＲＳＳフィードを取得し、目的のＷｅｂサイトへリンクすることが可能になる。
【００３５】  ４）会員ＩＤ（ユーザの識別コード）をＲＳＳフィードの要素に設定し、該ＲＳＳフィードを取得することにより、特定の個人に向けてのＯｎｅＴｏＯｎｅでのＲＳＳフィード配信が可能になる。
【発明を実施するための最良の形態】
【００３６】  図１は本発明の機能の実現によるサービスの概略を示す。これはテレビ、新聞、雑誌、カタログ等で地域別に、販促コミュニティーの会員（インターネット上のＷｅｂページで商品を閲覧者に推奨する消費者で本発明では会員と称す）に向けてキャンペーンのリリースを行うに際し、キャンペーンＩＤ（一意的に対応するＲＳＳフィード配信サイトを示す任意の識別コードを示す）を構成要素（クエリ文字列）に設定したＵＲＬを、ＱＲコード４に記憶しＱＲコードリーダ装置にて読込んだ携帯電話装置３又は、
同ＵＲＬをホームページのバナーに記憶し、プラウザにて読込んだブラウザ端末装置３又は、
同ＵＲＬを放送信号中に或いはその受信画像に埋め込み、ブラウザにて読込んだブラウザテレビ受信装置３は、
中継ポータルサーバ装置２内の中継ポータルサイトへアクセスする。
前記、ブラウザテレビ受信装置３にてＵＲＬを受信画像に埋め込むに、受信画像に対応したクリッカブルマップ（クリックした場所をマッピングする）にＵＲＬを埋め込み、受信画像にあわせて、利用者がカーソルポインタをクリックすると、当該のＵＲＬがブラウザに読み込まれる。【００３７】  本発明の中継ポータルサーバ装置２では消費者や会員が最新のお買得商品情報（本発明ではＲＳＳフィードに記載の商品情報や、会員がＲＳＳフィードを任意のページ（ＢＬＯＧ）に取り込んで商品推奨のコメントを記載したページ情報を意味する）を求めてアクセスしてくる総合窓口となる中継ポータルサイトを提供している。この中継ポータルサイトでは商品推奨を行う為の会員個別のポータル（Ｗｅｂページへの玄関を意味する）となるＭｙポータルを会員に開設している。中継ポータルサイトではＭｙポータルの開設にあたり会員属性データである地域、年齢、性別や趣味等の属性コードをＭｙポータル内のテーブル（ディスク記憶装置に読書き可能なデータの構成エリア）に記憶し、Ｍｙポータルにアクセスする為の会員ＩＤ（会員を識別するコード）を、インターネットを介して、会員に提供している。【００３８】  こうして個人属性情報を中継ポータルサーバ装置２にて集中管理して顧客企業から預かった個人属性情報の漏洩を防止している。本発明ではＲＳＳフィードの配信やページの管理サーバ装置として情報配信サーバ装置１を立てているが、この目的は個人属性情報を顧客企業からアウトソーシングし安全に集中管理を行う為のもので、特に上記のサーバ装置の安全面を鑑みなければ、本発明のサーバ装置の構成において中継ポータルサーバ装置２に情報配信サーバ装置１のすべての機能を取り込むことは可能なものとする。【００３９】  情報配信サーバ装置１の主な機能であるＲＳＳフィード配信サイトではキャンペーンＩＤ付のＲＳＳフィードや商品リンク（ＲＳＳフィード内の要素に含まれる商品推奨バナーのタグ）をペーストしたページ情報を中継ポータルサーバ装置２に向けて発信する。そのＲＳＳフィード配信サイトは、単独に情報配信サーバ装置１に設置する他に、企業のＥＣサイトのサーバ装置に設置することも可能とする。この情報配信サーバ装置１のその他の機能として、商品キャンペーンの為のＲＳＳフィードや商品推奨バナー（関連のサイトにＵＲＬリンクを張る為の画像）のテンプレート（ＨＴＭＬファイルや画像、テレビコマーシャルやニュースの動画素材がセットになったひな形）を用意している。【００４０】  中継ポータルサーバ装置２では、キャンペーンＩＤをサブドメインにするＲＳＳフィードのＵＲＬをもとに、関連のＲＳＳフィード配信サイトからＲＳＳフィードを読込み、キャンペーンＩＤにて照合し、一致していればＲＳＳフィードをブラウザ端末装置（ブラウザテレビ受信装置を含む）及び携帯電話装置３のブラウザにて表示すると共に、ＲＳＳフィードを保管し、ＲＳＳフィードのＵＲＬ及び表示件数をＭｙポータルのテーブルに記憶する。【００４１】  会員は情報配信サーバ装置１にてＲＳＳフィード内の要素に記録されたタグ情報をペーストし、サービスプロバイダーのＢＬＯＧ（Ｗｅｂサイトに記録された個人の情報の公開システムを意味する��ページ、又は情報配信サーバ装置１内で提供されるＷｅｂページに貼り付け、商品推奨のコメントを記載し、当該のページをインターネット上で公開すると共に、そのページのＵＲＬをＭｙポータルのテーブルに記憶する。【００４２】  中継ポータルサーバ装置２では、キャンペーンＩＤ単位に、会員の個人属性データ（地域、年齢、性別）及び日付別のＭｙポータルのテーブルに記憶されたＲＳＳフィードの表示件数を集計する。【００４３】  以上その概略を記述したようにキャンペーンＩＤ単位で属性別のＲＳＳフィードのリアルタイムな波及効果を測定する機能、の実現によるサービスであるが、詳しくはその動作方法及び装置について以下にその実施例の図面を参照しながら説明する。【００４４】  図２は本発明の実施例を示すステップ図であるが、請求項の各ステップに合わせて内容を示していく。【００４５】  本発明において、当該のＲＳＳフィード取得及び保管に至までの手順（請求項１、請求項２、請求項３、に共通の部分）は、次のとおりである。【００４６】  （１）マスメディア（ＴＶ、雑誌，カタログ等）にて、特殊なＱＲコード４を配信する。そのＱＲコード４では、キャンペーンＩＤを中継ポータルサイトへアクセスする為のＵＲＬの構成要素（クエリ文字列）に設定している（ＳＴ２０）。【００４７】  図３に記載あるように、キャンペーンＩＤ（広告媒体コードを意味し、一意的に対応するＲＳＳフィード配信サイトを示す任意の識別コード）とはＵＲＬの構成要素（クエリ文字列）として記載可能な任意の識別コードで、ｈｔｔｐ：／／ｗｗｗ．ｐｏｒｔａｌ．ｎｅ．ｊｐ／ｒｓｓ．ｈｔｍｌ？ｒｅｆ＝ｉｄ００１において、キャンペーンＩＤの例“ｉｄ００１”とはＱＲコード４を配布したマスメディアのキャンペーンＩＤ（ＴＶ、雑誌、カタログ、バナーの広告媒体に指定される広告キャンペーンの任意の識別コード）を意味し、中継ポータルサーバ装置２内に設けた中継ポータルサイトにパラメータとして渡すクエリ文字列（端末からサーバに渡す変数）である。この任意の識別コードは当該のＲＳＳフィード配信サイトを一意的に示すものである。【００４８】  キャンペーンＩＤを構成要素（クエリ文字列）に設定したＵＲＬを記憶したＱＲコード４をブラウザ端末装置（ブラウザテレビ受信装置を含む）及び携帯電話装置３のＱＲコードリーダ装置にて読込み、さらにＱＲコード４に記憶されたＵＲＬをブラウザにて読取り中継ポータルサーバ装置２の中継ポータルサイトへアクセスする（ＳＴ２１）。【００４９】  上記ＳＴ２０，ＳＴ２１では、ＱＲコードをベースにその仕組みを説明したが、同様にキャンペーンＩＤを構成要素（クエリ文字列）に設定したＵＲＬを、記憶したホームページのバナーをブラウザにて読み取んだブラウザ端末装置（ブラウザテレビ受信装置を含む）及び携帯電話装置３又は、
同ＵＲＬを放送信号中に或いはその受信画像に埋め込み、ブラウザにて読込んだブラウザテレビ受信装置３は、
同様に中継ポータルサーバ装置２内の中継ポータルサイトへアクセスする【００５０】  （２）中継ポータルサーバ装置２の中継ポータルサイトでは初回の会員アクセスを判別すると会員登録の処理を行う。会員ＩＤを採番し中継ポータルサーバ装置２にアクセスする為の会員ＩＤ（会員を識別するコード）をインターネットを介してブラウザ端末装置（ブラウザテレビ受信装置を含む）及び携帯電話装置３へ送信する。中継ポータルサイトでは、当該ＵＲＬの構成要素でありパラメータとして渡されたクエリ文字列を読込み、キャンペーンＩＤを判定する。中継ポータルサイトでは、会員ＩＤをユニークな検索キーとしてＭｙポータルを作成し、キャンペーンＩＤと会員ＩＤをＭｙポータル内のテーブル（図６に示されるようにディスク記憶装置に記憶されるテーブルのデータの構造のエリア）に記憶する。さらに会員属性データである地域（郵便コード）、年齢、性別や趣味等の属性コードをインターネットを介してブラウザ端末装置（ブラウザテレビ受信装置を含む）及び携帯電話装置３から読み取り、Ｍｙポータルのテーブルに記憶する（ＳＴ２２）。【００５１】  （３）情報配信サーバ装置１内のＲＳＳフィード配信サイトでは、会員向けの商品リンク（販売推進の「テンプレート」として用意され、キャンペーンサイトや商品販売サイトへのリンク情報を含んだ、テキスト、画像、テレビコマーシャル等の動画のバナー等を意味する）を生成し、その商品リンクをタグ情報として構成要素（図４に示されるＤｅｓｃｒｉｐｔｉｏｎ要素やＩｍａｇｅ要素に含まれる）にしたＲＳＳフィードを生成し、その要素にキャンペーンＩＤ及び会員ＩＤを記憶する。
本発明の実施例では図４に記載のとおり、ＲＳＳフィードのｃｈａｎｎｅｌ要素（サイト全体の概要を記述する要素）内のｔｉｔｌｅ要素（そのサイトのタイトルを記述する要素）に、〈ｔｉｔｌｅ〉“キャンペーンＩＤ“ｆｏｒ”会員ＩＤ“〈／ｔｉｔｌｅ〉、と示されるよう”ｆｏｒ“の前にキャンペーンＩＤを、後方に会員ＩＤを記憶している。この応用例としてＲＳＳのモジュールによる拡張（コア要素で記述できない情報）を使用すれば”ｐｕｂｌｉｓｈｅｒ“（記事を提供している母体）要素にて記述しても構わない（ＳＴ２３）。【００５２】  （４）中継ポータルサーバ装置２はブラウザ端末装置（ブラウザテレビ受信装置を含む）及び携帯電話装置３からインターネットを介してＲＳＳフィード取得の依頼を受ける（ＳＴ２４）。【００５３】  （５）中継ポータルサーバ装置２内のＲＳＳリーダ装置（定期的に更新された又は新たなＲＳＳフィードを求めてＷｅｂサイトをクロール）は、Ｍｙポータルのテーブルに記憶されたキャンペーンＩＤ及び会員ＩＤを取得して、そのキャンペーンＩＤ及び会員ＩＤを構成要素にする情報配信サーバ装置１内のＲＳＳフィード配信サイトのＵＲＬをサーチする。ＲＳＳリーダ装置は定期的にＲＳＳフィードのＵＲＬをサーチして当該のキャンペーンＩＤ及び会員ＩＤを含む新たなＲＳＳフィードが見つかれば取得する（ＳＴ２５）。【００５４】  本発明の実施例では、図５にキャンペーンＩＤに関連するＲＳＳフィードのＵＲＬを構成する手順が示されている。ＲＳＳリーダ装置はＭｙポータルのテーブルに記憶されたキャンペーンＩＤ“ｉｄ００１”をＵＲＬのサブドメイン名に設定（ＳＴ４１）、ＲＳＳフィードのページにワイルドカード“＊”をｈｔｔｐ：／／ｉｄ００１．ｅｃｓｉｔｅ．ｎｅ．ｊｐ／＊．＊のように設定（ＳＴ４２）、こうしてＲＳＳフィード配信サイトのＵＲＬをＲＳＳリーダ装置に設定している。【００５５】  （６）中継ポータルサーバ装置２のＲＳＳリーダ装置は複数の会員のＲＳＳフィードを順次に取得する。取得されたＲＳＳフィードは中継ポータルサーバ装置２のディスク記憶装置内の会員共有のスペースに保管される。中継ポータルサーバ装置２のＲＳＳリーダ装置は会員共有のスペースに保管されたＲＳＳフィードのｃｈａｎｎｅｌ要素内のｔｉｔｌｅ要素に示される”ｆｏｒ“の前のキャンペーンＩＤと後方の会員ＩＤが、個別会員のＭｙポータルのテーブルに記憶されたキャンペーンＩＤ及び会員ＩＤ（図６のテーブル内のキャンペーンＩＤ及び会員ＩＤ）に一致するかを判定し、一致且つ当該のＲＳＳフィードが更新されていれば取得する。ＲＳＳリーダ装置は取得したＲＳＳフィードをブラウザ端末装置（ブラウザテレビ受信装置を含む）及び携帯電話装置３のブラウザに向けて送信し表示すると共に、そのＲＳＳフィードのＵＲＬと取得の日付及びそのＲＳＳフィードの表示件数を更新してＭｙポータルのテーブル（図６の取得ＲＳＳフィードのＵＲＬ、日付、表示ＣＴＲ）に記憶する（ＳＴ２６）。Ｍｙポータル内のキャンペーンＩＤ及び会員ＩＤとＲＳＳフィードのキャンペーンＩＤ及び会員ＩＤの照合にもとづくＲＳＳフィードの取得のパターンについては実施例として図７に記載する。【００５６】  本発��において、ＲＳＳフィードが任意のページに組み込まれるまでの手順（請求項３に記載された部分）は、次のとおりである。【００５７】  （７）会員が取得したＲＳＳフィード内の要素に記録されたタグ情報（会員向けの商品推奨のバナー）を、会員が既に取得したページ（ＢＬＯＧ）又は新たに取得する任意のＷｅｂページに組込むよう要求した場合（ＳＴ２７）、【００５８】  情報配信サーバ装置１では、ＲＳＳフィード内の要素のテキスト、画像、動画タグを取り込み、当該のページに静的（手動にてペーストして）に、又は動的（自動的にダウンロードして）に貼り付けて組込み処理を行う。販促コミュニティーの会員ＩＤ（商品の推奨を行った会員の認識コード）を当該のページ内の指定されたタグに書き込み、当該のページをインターネット上に公開し、そして当該のページのＵＲＬを中継ポータルサーバ装置２内のＭｙポータルへ送信し通知する（ＳＴ２８）。【００５９】  （８）中継ポータルサーバ装置２の当該のＭｙポータルではＲＳＳフィードの組込が完了したページのＵＲＬとその日付をＭｙポータルのテーブル（図６に記載の作成ページのＵＲＬと日付）に記憶する（ＳＴ２９）。情報配信サーバ装置１では当該のページを消費者に向けてインターネット上で公開する。消費者は当該のページを閲覧し、コメントや商品に対するレビューを当該ページに投稿する。【００６０】  本発明において、ＲＳＳフィードの波及効果の測定の手順（請求項１、請求項２、請求項３、に共通の部分）は、次のとおりである。【００６１】  （９）消費者又は会員が、中継ポータルサイトにアクセスし、会員のＭｙポータルに取込まれたＲＳＳフィードや関連のページ情報を閲覧した場合、中継ポータルサーバ装置２の中継ポータルサイトは、当該のＭｙポータルのテーブルに記憶された取得ＲＳＳフィードのＵＲＬの表示件数（図６に記載の表示ＣＴＲ）を更新しその値を記録する。【００６２】  中継ポータルサイトでは各会員のもつＭＹポータル内のテーブルに記録されたＲＳＳフィードの閲覧データ（図６に記載の取得ＲＳＳフィードのＵＲＬ、日付、表示ＣＴＲ）を要求ベースでリアルタイムに集計し、キャンペーンＩＤ単位に日付別（時系列での広告の波及状況を分析）にランキングされたＲＳＳフィードの表示件数を表示する、と共に関連の図６に記載の作成ページのＵＲＬと日付をサイト上で表示する。アクセスしてきた会員または消費者はＲＳＳフィードの表示件数のランキング情報を見て、自分に関心のあるＲＳＳフィードとその関連のページを閲覧することになる。【００６３】  またキャンペーンＩＤ単位に会員属性別の測定をするに、会員の各ＭＹポータルに記録された個人属性データ（図６に記載の会員性別、年齢、郵便コード）別に、会員が取得したＲＳＳフィードとそのＵＲＬへ消費者及び会員自身がアクセスし閲覧した表示件数を、集計しサイト上で公開する（ＳＴ３０）。
【産業上の利用可能性】
【００６４】  上記実施例によれば、次のようなことが可能となる。
１）従来のＳＥＭ（サーチエンジン・マーケティング）の手法と異なる、マスメディア広告によるＷｅｂサイト誘導型のＲＳＳフィードを活用したマーケティング手法を提供できる。また第三の発明ではキャンペーン広告に連動してＲＳＳフィードを取込んだページに対するくちコミでの波及効果を定性的に把握することも可能になる。
２）ＲＳＳフィード配信サイトを示す識別コード（キャンペーンＩＤ）を構成要素（クエリ文字列）に設定しＵＲＬを記憶した、ＱＲコードやホームページのバナー、放送受信画像を、広告媒体に載せて配布、連動して配信されるＲＳＳフィードの波及効果をリアルタイムに測定することが出来る
３）個人情報（メールアドレス）取得を前提としたメールマガジンによる商用Ｗｅｂサイトへの誘導と異なり、消費者側では必要なキャンペーン通知だけを選別し、そのＲＳＳフィードを取得し、目的のＷｅｂサイトへリンクすることが可能になる。
４）会員ＩＤ（ユーザの識別コード）をＲＳＳフィードの要素に設定し、該ＲＳＳフィードを取得することにより、特定の個人に向けてのＯｎｅＴｏＯｎｅでのＲＳＳフィード配信が可能になる。
【図面の簡単な説明】
【図１】  本発明の機能の実現によるサービスの概略を示す
【図２】  本発明の実施例を示すステップ図
【図３】  キャンペーンＩＤを構成要素（クエリ文字列）にするＵＲＬを示す
【図４】  ＲＳＳフィードへキャンペーンＩＤと会員ＩＤを記憶させる方法を示す
【図５】  キャンペーンＩＤに関連するＲＳＳフィードのＵＲＬを構成する方法を示す
【図６】  Ｍｙポータルの記録媒体に記憶されるテーブルのデータの構造を示す
【図７】  ＲＳＳフィードの取得のパターンを示す
【符号の説明】
１    情報配信サーバ装置
２    中継ポータルサーバ装置
３    ブラウザ端末装置（ブラウザテレビ受信装置を含む）及び携帯電話装置
４    ＱＲコード
【図１】
2007115217.tif 000003
【図２−Ａ】
2007115217.tif 000004
【図２−Ｂ】
2007115217.tif 000005
【図３】
2007115217.tif 000006
【図４】
2007115217.tif 000007
【図５】
2007115217.tif 000008
【図６】
2007115217.tif 000009
【図７】
2007115217.tif 000010